【手続補正書】
【提出日】平成25年6月4日(2013.6.4)
【手続補正１】
【補正対象書類名】明細書
【補正対象項目名】全文
【補正方法】変更
【補正の内容】
【発明の詳細な説明】
【発明の名称】イオン殺菌空気
【技術分野】
【０００１】
本発明は、感染症の予防と感染した疾患の症状の改善や治療を行うために、大気を殺菌して除菌すると共に、呼吸器官と身体も殺菌して除菌することができる三拍子揃ったイオン殺菌空気に関し、より詳言すれば、抗菌性金属イオンでイオン化したイオン水を空気殺菌機により、吸入した空気と気化混合で同化して大気に放出するとイオンの殺菌作用、除菌作用、抗菌作用で殺菌空気となって大気中の細菌、ウイルス、真菌等の空中浮遊微生物を殺菌して除菌すると共に、呼吸吸入することにより呼吸器官を殺菌して除菌、また浴びることにより身体も殺菌して除菌することができるイオン殺菌空気に関するものである。
【背景技術】
【０００２】
従来、空気を殺菌して除菌するものとしては、殺菌溶液の中に空気を通して、空気中の微生物や各種細菌を殺菌・除菌及び除臭するものが開示されている（例えば、特許文献１参照）。これは、導電性を有する溶液内に通電が可能な２枚の銀板を電極として単相交流を通電（直流通電する場合は１極に炭素板を用いる）することにより、導電性の溶液が電気分解されて、殺菌力のある電解銀イオン溶液が生成される。この殺菌溶液の中を病室や手術室等の密閉された空間の大気を送り込んで、該大気内に含まれている微生物や各種細菌を殺菌・除菌及び除臭して、また密閉された病室や手術室等の空間に戻す循環を繰り返すことにより、密閉空間の大気を無菌状態にすることが出来る銀イオンを用いた殺菌・除菌及び消臭の方法とその装置である。
【０００３】
また、殺菌溶液が供給されている気液接触部材に空気を接触させて除菌する空気除菌装置が開示されている（例えば、特許文献２参照）。この除菌装置は、水道水を電気分解して殺菌力がある活性酸素種を含む電解水を生成して気液接触部材に供給。この気液接触部材に送風ファンにより室内大気から取り込んだ空気を送り、電解水と接触させて空気中の微生物や各種細菌を殺菌、除菌するものである。
【０００４】
また、室内から取り入れた空気の中で放電して、発生した殺菌力のあるプラズマクラスターイオンを室内に放出する空気清浄装置が開示されている（例えば、特許文献３参照）。この装置は、室内から取り入れた空気の中で放電して除菌イオンを発生させ、室内に放出することにより、室内大気の浮遊細菌を殺菌して除菌するものである。
【先行技術文献】
【特許文献】
【０００５】
【特許文献１】特開  ２００１−３５３２０７
【特許文献２】特開  ２００９−１１８９０３
【特許文献３】特開  ２００７−２３６４７０
【発明の概要】
【発明が解決しようとする課題】
【０００６】
しかしながら前述した特許文献１の殺菌溶液の中に密閉空間の大気を通す方法は、空気が気泡になって通過するため、殺菌溶液と接触している部分にいる細菌等は死滅するが、気泡の中央部の細菌等は死滅しない。したがって、何回も循環させて全ての細菌等が殺菌溶液と接触して死滅する条件を作らないと空間内の大気は無菌状態にはならないという欠点があった。また密閉空間から取り込まれた空気は、殺菌溶液の中で殺菌・除菌される受身のため、循環して密閉空間内に戻される時は無菌状態ではあるが、殺菌能力はなく殺菌空気とはならない。
【０００７】
また特許文献２の空気除菌装置は、水道水（塩素が含まれた水）を電気分解して酸化力の強いＯＨラジカルと次亜塩素酸の２種類の活性酸素種が生成された電解水を気液接触部材に供給して室内大気を送り込み接触させると、前記電解水は分子構造的に不安定で周囲の物質を酸化させる力があるため、空気中の浮遊するウイルス等の蛋白質スパイクを破壊してヒト細胞に吸着することができなくなるようにウイルス等を不活化することにより、空気を除菌するものである。しかし、気液接触部材に送られた空気が電解水と１回接触しただけでウイルス等が全て死滅するとは限らないため、取り込みと放出の連続運転が必要となる。また、水道水には硬度成分やシリカ成分が含まれているため、これらの成分が気液接触部材にスケールとして析出することがあり、気液接触部材にスケールを除去するブラシュニットと駆動機構を備える必要があると云う問題があった。更に、取り込まれた空気は空気除菌装置の中の気液接触部材に接触して殺菌・除菌されるだけの受身のため、空気除菌装置から大気に戻される空気は、殺菌して除菌されてはいるが殺菌能力はなく、殺菌空気ではない。
【０００８】
また特許文献３の空気清浄装置は、取り込んだ空気の中で高電圧プラズマ放電することにより空気中の水分と酸素分子を放電プラズマによって電離或いは解離させて、正負のイオンからなるプラズマクラスターイオンを生成する。このプラズマクラスターイオンの非常に酸化力が強く不安定なＯＨラジカルを除菌イオンとして大気中に放出するとウイルス等の浮遊菌の表面の蛋白質スパイクに付着して、水素（Ｈ）を抜き取って結合するため、蛋白質を分解、除去してウイルス等を不活化するものである。このように、取り込んだ空気自体の水分と酸素分子からプラズマクラスターイオンを生成して除菌イオンとしたため、空気自体も殺菌して除菌されると共に、殺菌空気となる。しかし、安定して高濃度のプラズマクラスターイオンを放出するためには発生ユニットを定期的に交換しなくてはならないと云う問題がある。また、大気中に放出されたＯＨラジカルは、水素（Ｈ）と結合して水になって短命であるが、水分子（Ｈ2Ｏ）で包まれると長寿命になるが殺菌力が弱くなる問題とＯＨラジカルの状態のままで呼吸すると毒性が強いという問題があった。更に大気中の放電では酸化力が強く殺菌や漂白に使われる毒性の強い活性酸素種のオゾンも発生する。したがって、不安定で毒性が強い殺菌空気となる。
【０００９】
このように、従来の空気を殺菌して除菌する特許文献１と特許文献２は、殺菌物質の生成と空気の殺菌循環が必要で装置が複雑であった。更に、装置の中に大気を取り込んで殺菌・除菌して無菌状態になった空気を大気に放出して戻す間接殺菌方法で殺菌はされているが殺菌能力はなく、放出後に大気、呼吸器官、身体を殺菌して除菌することは出来ないという課題があった。また、特許文献３は装置に取り込んだ空気自体から不安定で強い殺菌物質を生成して殺菌空気とした直接殺菌方法で、密閉空間や室内などの大気を短時間で殺菌して除菌する空気清浄機には適するが、殺菌力が強いため直接呼吸吸入して呼吸器官の殺菌や浴びて身体を殺菌して除菌する人体用の殺菌空気には適さないという課題があった。
【００１０】
本発明は、このような従来の「無菌空気になっても殺菌空気ではない。また殺菌空気であっても大気の殺菌には適するが人体の殺菌には適さない。更に機構が複雑で大型」という課題を解決して、大気を殺菌して除菌することができると共に、呼吸吸入で呼吸器官も殺菌して除菌ができ、更に浴びることにより身体も殺菌して除菌ができて、細菌感染の病気の予防と疾患の改善や治療が、日常生活に於いて何時でも何処でも安全で簡単にできるイオン殺菌空気を提供することを目的とする。
【課題を解決するための手段】
【００１１】
前記の課題を解決して目的を達成するための請求項１の発明は、水道水、地下水、蒸留水、ミネラルウオ−タ等の飲料原水を亜鉛イオン、銅イオンまたは／或いは銀イオンの抗菌性金属イオンを担持させた無機物系担体または有機物系担体からなる金属イオン抗菌剤と溜水接触させて、金属の抗菌イオンを前記原水にイオン移行すると共に、イオン濃度を高めた抗菌イオン水を超音波振動またはヒータ加熱、或いは超音波振動とヒータ加熱の組み合わせにより、ミストやクラスターにして吸入空気と気化混合で同化させて空気殺菌機からイオンの殺菌作用、除菌作用、抗菌作用がある殺菌空気として大気に放出することにより、大気を殺菌して除菌することができるため、大気中に浮遊しているウイルスや細菌・真菌・粘菌の微生物を死滅させて空気感染する病気の予防ができ、更に呼吸吸入することにより呼吸器官を殺菌して除菌することができるため、呼吸器官である鼻、咽喉、気管、肺の感染症の予防と感染した疾患の症状の改善や治療ができ、更に浴びることにより身体を殺菌して除菌する事ができるため、皮膚、目、陰部等の粘膜の感染症の予防と感染した疾患の症状の改善や治療ができる事を特徴としたイオン殺菌空気。
なお、ミストやクラスターを発生させることができる加湿器は、本願の請求項２のイオン殺菌空気の空気殺菌機とすることができ、本発明に含まれる。
【発明の効果】
【００１２】
このように、本発明のイオン殺菌空気は、飲料原水を金属イオン抗菌剤と溜水接触させて、安定している金属抗菌イオンを飲料原水の中に取り出す（イオン移行）と共に、イオン濃度を高めた長期安定の抗菌性金属イオン水を空気と気化混合で同化した殺菌空気で、電子レベルの電荷のイオンであっても非常に殺菌力があり、大気に放出するとイオンの殺菌作用、除菌作用、抗菌作用で大気中に浮遊しているウイルスや細菌・真菌・粘菌などの微生物を死滅させて除菌する。更に、呼吸吸入することにより呼吸器官を殺菌して除菌することができるため、呼吸器官である鼻、咽喉、気管、肺に空気感染する病気、具体的には風邪、インフルエンザ、肺炎、結核、風疹、気管支炎、副鼻腔炎等の予防と感染した疾患の症状の改善や治療ができる。更に、浴びると身体の細菌・真菌・粘菌等を殺菌して除菌する事ができるため、皮膚、目、膣等の粘膜の細菌感染による病気の予防と感染した疾患の症状の改善や治療ができる。風邪やインフルエンザの予防にはマスク・うがい・手洗いが必要なように、大気の殺菌、呼吸器官の殺菌、身体の殺菌が同時にできる三拍子揃ったイオン殺菌空気は、空気感染症の予防と治療には総合的な効果があり，大災害時や感染症が大流行した場合、大きく貢献できる。
また、犬・猫などのペットの美容と健康にも同様の効果があり、本発明が適用でき請求範囲に含まれる。
【００１３】
本発明の安全性は、従来から家電製品、台所用品、事務用品などに使用されていて安全が確認されている抗菌性金属イオンを用いて飲料水をイオン化したイオン水のため、生体に対しては安全性が高い。特に、亜鉛は、食品である魚貝類、肉、野菜、穀物などの動植物自体にも含まれていると云うことは、逆に動植物にとっては必要不可欠な元素であり、サプリメントとしても用いられている。また、銀は食器類や銀歯等で昔から抗菌力と安全性が知られている。これらの金属イオン抗菌剤と無添加の飲料原水を溜水接触させると、飲料原水の状態のままで電気的にイオン化しただけのイオン水になり、電解イオン水の電導溶液などのような有害物は一切含まず、水道法水質基準及び食品衛生法基準にも適合でき、動植物に全く影響が無く、人体にも安全であることが一般的に証明されている。従って、この飲料原水のままの無色、無臭、無味、無香、無刺激、無毒の安全なイオン水を空気と気化混合で同化したイオン殺菌空気に於いても何の違和感もなく安心して美容と健康に使用でき、イオン水と同様の安全効果が得られる。  
【００１４】
また、本発明の経済的効果としては、本発明の飲料原水を溜水にしてイオン化したイオン水をイオン殺菌空気にして大気に放出するため、飲料原水の溜水量(イオン水)は少なくなる。この場合、水道水、地下水、蒸留水、ミネラルウオ−タ等の飲料原水を継ぎ足し補充で溜水を増やす事により、また溜水が短時間で抗菌作用、除菌作用、殺菌作用のあるイオン水となるため、何時でも何処でも簡単に、イオン殺菌空気が得られて経済的である。
【００１５】
更に、世界的な効果としては、日常生活の中で簡単に周囲の大気と呼吸器官、身体の殺菌ができてウイルス等の細菌感染による病気の予防になり、また、感染した疾患や症状についても改善や治療することができることにより、快適な生活と大幅な医療費の削減に寄与することができる。特に、身の回りで手軽に入手できる飲料原水が使用できて、インフルエンザ等の感染症にならない環境づくりが安全で簡単にできるため、アフリカ、中南米、アジア等の後進国でも安価で容易に使用できることにより、人類の美容と健康や繁栄にとって世界的にも非常に効果的なイオン殺菌空気の発明である。
【図面の簡単な説明】
【００１６】
【図１】本発明のイオン殺菌空気をつくる空気殺菌機の一実施形態を断面図で明示したものである。
【図２】本発明のイオン水と空気を気化混合で同化する方法と攪拌部材の実施例を断面図で示したものである。
【図３】本発明の温風イオン殺菌空気及び冷風イオン殺菌空気の実施例を断面図で示したものである。
【図４】本発明のイオン殺菌空気を空気殺菌機によって、呼吸器官の鼻、咽喉、気管、肺を殺菌して除菌している使用例と肺胞の殺菌を明示したものである。
【図５】本発明のイオン殺菌空気を空気殺菌機によって、身体の皮膚、目、粘膜を殺菌して除菌している使用例と目薬としてのイオン殺菌空気を示したものである。
【発明を実施するための形態】
【００１７】
本発明の実施に於いては、抗菌性金属イオンを担持させた無機物系担体からなる金属イオン抗菌剤は、商業的に入手可能であり、例えば、株式会社サンギの無機物系担体であるハイドロキシアバタイトに「亜鉛イオンを担持させたアバサイダ−Ｚ」、「銀イオンを担持させたアバサイダ−ＡＫ」や東亜合成株式会社の無機物系担体であるリン酸ジルコニウムに「銀イオンを担持させたノバロンＡＧＺ３３０」、シナネンゼオミック株式会社の無機物系担体であるゼオライトに「銀イオンを担持させたゼオミックＡＷ１０Ｄ」などがある。本発明の一実施例で使用した抗菌性金属イオンを担持させた無機物系担体は、株式会社サンギで市販している無機物系担体であるハイドロキシアバタイトに亜鉛イオンを担持させた商品名アバサイダ−Ｚを金属イオン抗菌剤として成形。以下、金属イオン抗菌材で表示する。なお、株式会社アドバンスと大阪産業大学が共同研究開発したチタンと銀を燃焼合成させたセラミック多孔質のもの(特開２００６−６９９３５)は本発明の金属イオン抗菌材として適する。
【００１８】
以下、本発明の実施の一形態を図１〜図５に基づいて詳細に説明する。なお、本発明の大気とは、屋外と屋内に一般的に存在する水蒸気も含んだ身の回りの気体。空気とは、特定の大気で空気殺菌機に吸入した気体、又は放出する気体である。殺菌空気とは、殺菌能力のある空気（大気も含む）である。身体とは、大気と接している体の部位である。ミストとは、イオン水の微細な霧。クラスターとは、イオン水の分子レベルの集まりである。
【００１９】
図１は本発明のイオン殺菌空気Ｒを発生させる卓上型の空気殺菌機Ｈの一実施例を断面図により構造と作用を明示したものである。溜水タンク３には金属イオン抗菌材１と飲料原水である水道水２が溜水で入れられていて、水道水２がイオン化された状態である。なお、金属イオン抗菌材１と水道水２を別の容器で溜水接触させて、イオン水をつくり溜水タンク３に供給してもよい。イオン化された水道水２は、バルブ５によって適量がイオン水１０としてイオン水槽９に供給されて一定の水位を保っている。超音波振動アンプ１１の制御により超音波振動子１２が振動してイオン水１０からイオン水ミストＭを発生させるとイオン水ミストＭは、送風機８によって大気が吸入口６から吸入されフイルタ７で塵や埃が除かれて送風路１３を通った空気Ａによって位置ズレ分だけ押し流されながら鋭角に曲がって混ざる（攪拌される）。更に、気化混合の同化を図る攪拌部材１４（図示せず）である渦気流発生攪拌部材１４ａによって渦気流Ｋが発生してイオン水ミストＭと空気Ａは攪拌されて気化混合の同化が図られて殺菌空気であるイオン殺菌空気Ｒになり、吹出口１５から放出されて、大気を殺菌して除菌する。なお、携帯用の空気殺菌機(図示せず)では、何処でも何時でも使用できる。
【００２０】
図２は、イオン水ミストＭを空気Ａに気化混合して同化させるための方法と攪拌部材を示したものであり、図１の渦気流発生攪拌部材１４ａ以外の他の実施例である。図２（イ）はファン攪拌部材１４ｂの回転による攪拌で気化混合の同化を図るファン方式の一実施例であり、ファン攪拌部材１４ｂの回転は送風機８の送風による自動回転、或いは電動回転にしてもよい。また図２（ロ）は弁攪拌部材１４ｃの振動による攪拌で気化混合の同化を図る弁方式の一実施例であり、弁の振動は送風機８の送風による自動振動、或いは電動振動でもよい。また、超音波振動攪拌も含まれる。また図２（ハ）はベンチュリ攪拌部材１４ｄによる気流の速度変化による攪拌で気化混合の同化を図るベンチュリ方式の一実施例である。なお、撹拌できれば、この限りではない。なお、イオン殺菌空気Ｒのイオン状態は、攪拌部材１４（図示せず）の作動切り替えによって、ミストとクラスターが選択できることが望ましい。
【００２１】
図３は、吹出口１５から放出されるイオン殺菌空気Ｒを温風。または冷風にした実施例を示したものであり、図３（イ）は吹出口１５の手前にヒータ１６を設けて、吹出口１５からは温風イオン殺菌空気が放出されるようにした一実施例である。図３（ロ）は吹出口１５の手前に冷却器１７を設けて、吹出口１５からは冷風イオン殺菌空気が放出されるようにした一実施例である。なお、図１は温風・冷風のない常温風タイプ。
【００２２】
図４は、空気殺菌機Ｈの吹出口１５にフード１８を取り付けて、イオン殺菌空気Ｒの放出方向を規制して絞り、呼吸器官Ｎを殺菌して除菌している使用例で、図４（イ）は、空気殺菌機Ｈから大気中に放出されたイオン殺菌空気Ｒを呼吸吸入によって呼吸器官Ｎである鼻Ｎ１・咽喉Ｎ２・気管Ｎ３・肺Ｎ４をそれぞれ殺菌して除菌することにより空気感染の病気である風邪、Ｎ５Ｈ１型等の新型インフルエンザ、肺炎、風疹、結核、気管支炎、咽喉炎症、副鼻腔炎等の予防や感染した疾患の症状の改善と治療が出来る事を示したイラスト図であり、携帯用の空気殺菌機(図示せず)を用いることにより、外出先など何処でも何時でも呼吸器官Ｎを殺菌して除菌することができる。しかし、イオン殺菌空気Ｒに気化混合で同化しているイオン水(図示せず)が霧状のミストであると鼻Ｎ１に水滴となって付着するため、イオンの消臭効果により、臭覚が鈍くなる場合がある。だが、鼻Ｎ１に付着したイオン水(図示せず)が除去されると臭覚は戻る。図４（ロ）は、肺Ｎ４の肺胞１９の拡大図で、イオン殺菌空気Ｒのイオン２１が肺胞１９の中で直接細菌２２に接触して強い殺菌力が発揮できる直接殺菌と肺胞１９の内側から殺菌作用ができる事を明示したものであり、イオン殺菌空気Ｒはイオン２１のみで表示されている。なお、点滴、注射、飲み薬等の薬品２３による肺胞１９の中の細菌２２の殺菌は、血管２０の中から間接的に殺菌する間接殺菌であることを併せて示した。また、肺胞１９は１から３ミクロンのため、肺胞１９内の殺菌にはイオン殺菌空気Ｒのイオン水(図示せず)は、分子レベルのクラスター状態が適する。粒子が大きい霧状のミストでは肺胞１９に入れず、咳き込む。
【００２３】
図５は、空気殺菌機Ｈの吹出口１５にフード１８を取り付けて、イオン殺菌空気Ｒの放出方向を規制して絞り、浴びて身体Ｂを殺菌して除菌する使用例で、この場合のイオン殺菌空気Ｒのイオン水(図示せず)は、湿り気のある霧状のミストが適する。図５（イ）は、裸になって皮膚Ｂ１と陰部などの粘膜(図示せず)、瞼を大きく開いた目Ｂ２、手Ｂ３にイオン殺菌空気Ｒを浴びて殺菌して除菌しているイラスト図であり、アトピー皮膚炎の改善や治療、傷の殺菌や治療、加齢臭の予防や消臭、手足の消毒や消臭、陰部等の粘膜の殺菌や消臭、特にスプレー等の直線噴射では届かない膣などの曲がった腔内の殺菌と消臭ができる。図５（ロ）は、イオン殺菌空気Ｒをエア殺菌目薬として、通常ものを見ている状態や感覚で刺激等の違和感もなく、目Ｂ２の殺菌消毒ができることを拡大図で示したものである。
【符号の説明】
【００２４】
１      金属イオン抗菌材
２      水道水
３      溜水タンク
４      給水キャップ
５      バルブ
６      吸入口
７      フイルタ
８      送風機
９      イオン水槽
１０      イオン水
１１      超音波振動アンプ
１２      超音波振動素子
１３      送風路
１４      攪拌部材
１４ａ    渦気流発生攪拌部材
１４ｂ    フアン攪拌部材
１４ｃ    弁攪拌部材
１４ｄ    ベンチュリ攪拌部材
１５      吹出口
１６      ヒータ
１７      冷却器
１８      フード
１９      肺胞
２０      血管
２１      イオン
２２      細菌
２３      薬品
Ａ      空気
Ｂ      身体
Ｂ１    皮膚
Ｂ２    目
Ｂ３    手
Ｈ      空気殺菌機
Ｋ      渦気流
Ｍ      イオン水ミスト
Ｎ      呼吸器官
Ｎ１    鼻
Ｎ２    咽喉
Ｎ３    気管
Ｎ４    肺
Ｒ      イオン殺菌空気
【手続補正２】
【補正対象書類名】特許請求の範囲
【補正対象項目名】全文
【補正方法】変更
【補正の内容】
【特許請求の範囲】
【請求項１】
水道水、地下水、蒸留水、ミネラルウオ−タ等の飲料原水を亜鉛イオン、銅イオンまたは／或いは銀イオンの抗菌性金属イオンを担持させた無機物系担体または有機物系担体からなる金属イオン抗菌剤と溜水接触させて、金属の抗菌イオンを前記原水にイオン移行すると共に、イオン濃度を高めた抗菌イオン水を超音波振動またはヒータ加熱、或いは超音波振動とヒータ加熱の組み合わせにより、ミストやクラスターにして吸入空気と気化混合で同化させて空気殺菌機からイオンの殺菌作用、除菌作用、抗菌作用がある殺菌空気として大気に放出することにより、大気を殺菌して除菌することができるため、大気中に浮遊しているウイルスや細菌・真菌・粘菌の微生物を死滅させて空気感染する病気の予防ができ、更に呼吸吸入することにより呼吸器官を殺菌して除菌することができるため、呼吸器官である鼻、咽喉、気管、肺の感染症の予防と感染した疾患の症状の改善や治療ができ、更に浴びることにより身体を殺菌して除菌する事ができるため、皮膚、目、陰部等の粘膜の感染症の予防と感染した疾患の症状の改善や治療ができることを特徴としたイオン殺菌空気。
【請求項２】
抗菌イオン水と空気を気化混合で同化させて殺菌して除菌することができるイオン殺菌空気を大気に放出する請求項１の空気殺菌機。
【手続補正３】
【補正対象書類名】図面
【補正対象項目名】全図
【補正方法】変更
【補正の内容】
【図１】
2011019857.tif 000001
【図２】
2011019857.tif 000002
【図３】
2011019857.tif 000003
【図４】
2011019857.tif 000004
【図５】
2011019857.tif 000005